(57)【要約】【課題】  適切なネットワーク環境で作業を行うことが可能な作業環境切り替えシステム、サービスセンタサーバ及び情報処理装置の提供。【解決手段】  作業環境切り替えシステムＳは、サービスセンタ１のサーバ１０とノート型パソコン３とから構成される。ノート型パソコン３がサービスセンタ１のサーバ１０にアクセスする。管理データベース１１に保存された通信データをサービスセンタ１のサーバ１０からノート型パソコン３にダウンロードする。ノート型パソコン３がダウンロードした通信データを記憶手段に格納する。ノート型パソコン３の作業環境を作業内容に応じてスタンドアロン若しくはシンクライアントに自動的に切り替える。【選択図】        図１
2007133713.tif 000002
【特許請求の範囲】
【請求項１】
ネットワークに接続されたサービスセンタサーバと、顧客システムに接続可能であり、且つ前記ネットワークを介して前記サービスセンタサーバと通信可能な情報処理装置とから構成され、前記情報処理装置の作業環境をスタンドアロン／シンクライアントに切り替えるシステムであって、
前記サービスセンタサーバは、前記情報処理装置へ転送する通信データを保存した管理データベースを有しており、前記情報処理装置は、記憶手段を有すると共に、前記サービスセンタサーバにアクセスする手段と、前記管理データベースに保存された通信データを前記サービスセンタサーバからダウンロードする手段と、ダウンロードした通信データを前記記憶手段に格納する手段と、前記サービスセンタサーバとのオンライン接続からオフライン接続への切り替えを行う手段と、スタンドアロンの動作処理を行う手段と、前記サービスセンタサーバとのオフライン接続からオンライン接続への切り替えを行う手段と、前記記憶手段に格納した通信データを前記サービスセンタサーバにアップロードする手段と、前記サービスセンタサーバとのオフライン接続からオンライン接続への切り替え時に、前記記憶手段に格納した通信データを消去する手段と、前記サービスセンタサーバとの同期処理を行う手段と、前記サービスセンタサーバとのオフライン接続からオンライン接続への切り替え時に、前記記憶手段を停止させる手段と、シンクライアントの動作処理を行う手段と、前記サービスセンタサーバとのオンライン接続からオフライン接続への切り替え時に、前記記憶手段を起動させる手段とを備えたことを特徴とする作業環境切り替えシステム。
【請求項２】
請求項１に記載の作業環境切り替えシステムにおいて、
上記サービスセンタサーバは、上記情報処理装置へ転送する通信データとしてネットワーク環境，使用ツール，使用データを含む作業項目毎の作業ルールを設定する手段と、設定した作業ルール，作業ルールの作業項目に対応した使用データ及び作業ルールに従って行われる作業の進捗状況を管理データベースに保存する手段と、前記情報処理装置のオンライン作業時に、前記管理データベースに保存した作業の進捗状況を更新する手段とを備え、前記情報処理装置は、上記ネットワークを介して前記サービスセンタサーバにアクセスし、作業ルールを選択し、選択した作業ルールを前記サービスセンタサーバからダウンロードし、ダウンロードした作業ルールを作業データベースに格納し、ダウンロードした作業ルールを参照して前記サービスセンタサーバとのオンライン／オフラインの切り替えを行い、前記サービスセンタサーバとのオンライン／オフラインの切り替え時に、使用データと作業の進捗状況の同期を行い、前記サービスセンタサーバへのオフライン接続時に、使用データと作業の進捗状況を前記サービスセンタサーバからダウンロードし、ダウンロードした使用データと作業の進捗状況を前記作業データベースに格納し、前記サービスセンタサーバへのオンライン接続時、前記作業データベースに格納した使用データと作業の進捗状況を前記サービスセンタサーバにアップロードし、前記作業データベースに格納した作業ルール，使用データ及び作業の進捗状況を消去し、オフライン作業時に、前記作業データベースに格納した作業の進捗状況を更新し、オンライン作業時に、シンクライアントで動作し、オフライン作業時に、スタンドアロンで動作することを特徴とする作業環境切り替えシステム。
【請求項３】
上記サービスセンタサーバは、上記管理データベースに保存された作業の進捗状況を表示画面に表示させる手段を備えている請求項２に記載の作業環境切り替えシステム。
【請求項４】
上記情報処理装置は、上記サービスセンタサーバとのオンライン接続からオフライン接続への切り替えを行う前に、オフライン作業に使用する関連データを前記サービスセンタサーバからダウンロードし、ダウンロードした関連データを作業データベースに格納する請求項２に記載の作業環境切り替えシステム。
【請求項５】
上記情報処理装置は、作業ルールの使用ツールの監視を行う手段を備えている請求項２に記載の作業環境切り替えシステム。
【請求項６】
上記情報処理装置は、作業ルールで許可されていない不許可のツールが使用されている場合、自動的に不許可のツールの起動を防ぐ手段を備えている請求項２に記載の作業環境切り替えシステム。
【請求項７】
情報処理装置へ転送する通信データとしてネットワーク環境，使用ツール，使用データを含む作業項目毎の作業ルールを設定する手段と、設定した作業ルール，作業ルールの作業項目に対応した使用データ及び作業ルールに従って行われる作業の進捗状況を管理データベースに保存する手段と、前記情報処理装置のオンライン作業時に、前記管理データベースに保存した作業の進捗状況を更新する手段と、情報処理装置とのオンライン接続時に、情報処理装置がシンクライアントで動作していることを監視し、シンクライアント使用以外のツールが動作していないことを監視する手段とを備えたことを特徴とするサービスセンタサーバ。
【請求項８】
情報処理装置とのオンライン接続時に、シンクライアント使用以外の不要なツールの起動を防ぐ手段を備えている請求項７に記載のサービスセンタサーバ。
【請求項９】
記憶手段を有すると共に、ネットワークに接続されたサービスセンタサーバにアクセスする手段と、管理データベースに保存された通信データを前記サービスセンタサーバからダウンロードする手段と、ダウンロードした通信データを前記記憶手段に格納する手段と、前記サービスセンタサーバとのオンライン接続からオフライン接続への切り替えを行う手段と、スタンドアロンの動作処理を行う手段と、前記サービスセンタサーバとのオフライン接続からオンライン接続への切り替えを行う手段と、前記記憶手段に格納した通信データを前記サービスセンタサーバにアップロードする手段と、前記サービスセンタサーバとのオフライン接続からオンライン接続への切り替え時に、前記記憶手段に格納した通信データを消去する手段と、前記サービスセンタサーバとの同期処理を行う手段と、前記サービスセンタサーバとのオフライン接続からオンライン接続への切り替え時に、前記記憶手段を停止させる手段と、シンクライアントの動作処理を行う手段と、前記サービスセンタサーバとのオンライン接続からオフライン接続への切り替え時に、前記記憶手段を起動させる手段とを備えたことを特徴とする情報処理装置。
【請求項１０】
サービスセンタサーバとのオンライン接続時に、自装置がシンクライアントで動作していることを監視し、シンクライアント使用以外のツールが動作していないことを監視する手段を備えている請求項９に記載の情報処理装置。
【請求項１１】
サービスセンタサーバとのオンライン接続時に、シンクライアント使用以外の不要なツールの起動を防ぐ手段を備えている請求項１０に記載の情報処理装置。
【発明の詳細な説明】
【技術分野】
【０００１】
本発明は、作業環境切り替えシステム、サービスセンタサーバ及び情報処理装置に係り、特に、作業内容に応じた情報処理装置の作業環境をサービスセンタ側で一元管理する作業環境切り替えシステム、サービスセンタサーバ及び情報処理装置に関するものである。
【背景技術】
【０００２】
屋内外やお客様先など様々な作業場所で情報処理装置を利用して業務を行う場合において、情報処理装置内の機密情報漏洩の危険がある。
【０００３】
これを解決する手段として、シンクライアントが知られている（例えば、特許文献１参照。）。
【０００４】
シンクライアントは、常時ネットワーク接続が前提であり、無線通信の環境（つながらない，大量の通信データ量）、お客様機器への影響などから、ネットワークに接続しての作業が適当でない場合がある。
【特許文献１】特開２００４−３４９９６５号公報
【発明の開示】
【発明が解決しようとする課題】
【０００５】
したがって、作業場所，作業内容などの作業条件から、適切なネットワーク環境を選定して作業を進めることが課題である。
【０００６】
スタンドアロン及びシンクライアントのネットワーク環境と主な作業条件を以下に示す。
Ａ．スタンドアロン（オフライン）
（１）無線通信できない。（無線有効エリア外）
（２）無線通信では、お客様機器への影響がある。（使用禁止）
（３）通信データが大量で性能悪。
（４）お客様機器へ接続する保守ツールは動かない。（シンクライアントでは動作しない）
Ｂ．シンクライアント（オンライン）
（１）情報漏洩防止。
（２）最新の情報を参照。
（３）情報のサービスセンタ一元管理。
【０００７】
そこで、本発明の目的は、上記の事情に鑑みてなされたものであって、作業内容に応じた情報処理装置の作業環境をサービスセンタ側で一元管理し、情報処理装置の作業環境を作業内容に応じてスタンドアロン若しくはシンクライアントに自動的に切り替えることができ、情報処理装置の利用者が意識することなく、適切なネットワーク環境で作業を行うことが可能な作業環境切り替えシステム、サービスセンタサーバ及び情報処理装置を提供することにある。
【課題を解決するための手段】
【０００８】
本発明の作業環境切り替えシステムは、ネットワークに接続されたサービスセンタサーバと、顧客システムに接続可能であり、且つ前記ネットワークを介して前記サービスセンタサーバと通信可能な情報処理装置とから構成され、前記情報処理装置の作業環境をスタンドアロン／シンクライアントに切り替えるシステムであって、前記サービスセンタサーバが、前記情報処理装置へ転送する通信データを保存した管理データベースを有しており、前記情報処理装置が、記憶手段を有すると共に、前記サービスセンタサーバにアクセスする手段と、前記管理データベースに保存された通信データを前記サービスセンタサーバからダウンロードする手段と、ダウンロードした通信データを前記記憶手段に格納する手段と、前記サービスセンタサーバとのオンライン接続からオフライン接続への切り替えを行う手段と、スタンドアロンの動作処理を行う手段と、前記サービスセンタサーバとのオフライン接続からオンライン接続への切り替えを行う手段と、前記記憶手段に格納した通信データを前記サービスセンタサーバにアップロードする手段と、前記サービスセンタサーバとのオフライン接続からオンライン接続への切り替え時に、前記記憶手段に格納した通信データを消去する手段と、前記サービスセンタサーバとの同期処理を行う手段と、前記サービスセンタサーバとのオフライン接続からオンライン接続への切り替え時に、前記記憶手段を停止させる手段と、シンクライアントの動作処理を行う手段と、前記サービスセンタサーバとのオンライン接続からオフライン接続への切り替え時に、前記記憶手段を起動させる手段とを備えたことを特徴とする構成を有するものである。
【０００９】
本発明の作業環境切り替えシステムは、上記サービスセンタサーバが、上記情報処理装置へ転送する通信データとしてネットワーク環境，使用ツール，使用データを含む作業項目毎の作業ルールを設定する手段と、設定した作業ルール，作業ルールの作業項目に対応した使用データ及び作業ルールに従って行われる作業の進捗状況を管理データベースに保存する手段と、前記情報処理装置のオンライン作業時に、前記管理データベースに保存した作業の進捗状況を更新する手段とを備え、前記情報処理装置が、上記ネットワークを介して前記サービスセンタサーバにアクセスし、作業ルールを選択し、選択した作業ルールを前記サービスセンタサーバからダウンロードし、ダウンロードした作業ルールを作業データベースに格納し、ダウンロードした作業ルールを参照して前記サービスセンタサーバとのオンライン／オフラインの切り替えを行い、前記サービスセンタサーバとのオンライン／オフラインの切り替え時に、使用データと作業の進捗状況の同期を行い、前記サービスセンタサーバへのオフライン接続時に、使用データと作業の進捗状況を前記サービスセンタサーバからダウンロードし、ダウンロードした使用データと作業の進捗状況を前記作業データベースに格納し、前記サービスセンタサーバへのオンライン接続時、前記作業データベースに格納した使用データと作業の進捗状況を前記サービスセンタサーバにアップロードし、前記作業データベースに格納した作業ルール，使用データ及び作業の進捗状況を消去し、オフライン作業時に、前記作業データベースに格納した作業の進捗状況を更新し、オンライン作業時に、シンクライアントで動作し、オフライン作業時に、スタンドアロンで動作するようになっている。
【００１０】
本発明の作業環境切り替えシステムは、上記サービスセンタサーバが、上記管理データベースに保存された作業の進捗状況を表示画面に表示させる手段を備えている。
【００１１】
本発明の作業環境切り替えシステムは、上記情報処理装置が、上記サービスセンタサーバとのオンライン接続からオフライン接続への切り替えを行う前に、オフライン作業に使用する関連データを前記サービスセンタサーバからダウンロードし、ダウンロードした関連データを作業データベースに格納するようになっている。
【００１２】
本発明の作業環境切り替えシステムは、上記情報処理装置が、作業ルールの使用ツールの監視を行う手段を備えている。
【００１３】
本発明の作業環境切り替えシステムは、上記情報処理装置が、作業ルールで許可されていない不許可のツールが使用されている場合、自動的に不許可のツールの起動を防ぐ手段を備えている。
【００１４】
本発明のサービスセンタサーバは、情報処理装置へ転送する通信データとしてネットワーク環境，使用ツール，使用データを含む作業項目毎の作業ルールを設定する手段と、設定した作業ルール，作業ルールの作業項目に対応した使用データ及び作業ルールに従って行われる作業の進捗状況を管理データベースに保存する手段と、前記情報処理装置のオンライン作業時に、前記管理データベースに保存した作業の進捗状況を更新する手段と、情報処理装置とのオンライン接続時に、情報処理装置がシンクライアントで動作していることを監視し、シンクライアント使用以外のツールが動作していないことを監視する手段とを備えたことを特徴とする構成を有するものである。
【００１５】
本発明のサービスセンタサーバは、情報処理装置とのオンライン接続時に、シンクライアント使用以外の不要なツールの起動を防ぐ手段を備えている。
【００１６】
本発明の情報処理装置は、記憶手段を有すると共に、ネットワークに接続されたサービスセンタサーバにアクセスする手段と、管理データベースに保存された通信データを前記サービスセンタサーバからダウンロードする手段と、ダウンロードした通信データを前記記憶手段に格納する手段と、前記サービスセンタサーバとのオンライン接続からオフライン接続への切り替えを行う手段と、スタンドアロンの動作処理を行う手段と、前記サービスセンタサーバとのオフライン接続からオンライン接続への切り替えを行う手段と、前記記憶手段に格納した通信データを前記サービスセンタサーバにアップロードする手段と、前記サービスセンタサーバとのオフライン接続からオンライン接続への切り替え時に、前記記憶手段に格納した通信データを消去する手段と、前記サービスセンタサーバとの同期処理を行う手段と、前記サービスセンタサーバとのオフライン接続からオンライン接続への切り替え時に、前記記憶手段を停止させる手段と、シンクライアントの動作処理を行う手段と、前記サービスセンタサーバとのオンライン接続からオフライン接続への切り替え時に、前記記憶手段を起動させる手段とを備えたことを特徴とする構成を有するものである。
【００１７】
本発明の情報処理装置は、サービスセンタサーバとのオンライン接続時に、自装置がシンクライアントで動作していることを監視し、シンクライアント使用以外のツールが動作していないことを監視する手段を備えている。
【００１８】
本発明の情報処理装置は、サービスセンタサーバとのオンライン接続時に、シンクライアント使用以外の不要なツールの起動を防ぐ手段を備えている。
【発明の効果】
【００１９】
以上に述べたように、本発明によれば、作業内容に応じた情報処理装置の作業環境をサービスセンタ側で一元管理し、情報処理装置の作業環境を作業内容に応じてスタンドアロン若しくはシンクライアントに自動的に切り替えることができ、情報処理装置の利用者が意識することなく、適切なネットワーク環境で作業を行うことが可能な作業環境切り替えシステム、サービスセンタサーバ及び情報処理装置を得ることができる。
【発明を実施するための最良の形態】
【００２０】
以下、本発明を実施するための最良の形態を図面を参照して詳細に説明する。
【実施例】
【００２１】
本発明の作業環境切り替えシステムＳは、ネットワーク４に接続されたサービスセンタ１のサーバ１０と、顧客システム２０に接続可能であり、且つネットワーク４を介してサービスセンタ１のサーバ１０と無線通信可能な情報処理装置であるノート型パソコン（Ｐｅｒｓｏｎａｌ  Ｃｏｍｐｕｔｅｒ；ＰＣ）３とから構成され、ノート型パソコン３の作業環境をスタンドアロン／シンクライアントに切り替えるシステムである。
【００２２】
本発明の作業環境切り替えシステムＳは、サービスセンタ１のサーバ１０が、ノート型パソコン３へ転送する通信データを保存した管理データベース（Ｄａｔａ  Ｂａｓｅ；ＤＢ）１１を有している。
【００２３】
本発明の作業環境切り替えシステムＳは、ノート型パソコン３が、ハードディスクなどの記憶手段を有すると共に、サービスセンタ１のサーバ１０にアクセスする手段と、管理データベース１１に保存された通信データをサービスセンタ１のサーバ１０からダウンロードする手段と、ダウンロードした通信データを記憶手段に格納する手段とを備えている。
【００２４】
本発明の作業環境切り替えシステムＳは、ノート型パソコン３が、サービスセンタ１のサーバ１０とのオンライン接続からオフライン接続への切り替えを行う手段と、スタンドアロンの動作処理を行う手段と、サービスセンタ１のサーバ１０とのオフライン接続からオンライン接続への切り替えを行う手段と、記憶手段に格納した通信データをサービスセンタ１のサーバ１０にアップロードする手段とを備えている。
【００２５】
本発明の作業環境切り替えシステムＳは、ノート型パソコン３が、サービスセンタ１のサーバ１０とのオフライン接続からオンライン接続への切り替え時に、記憶手段に格納した通信データを消去する手段と、サービスセンタ１のサーバ１０との同期処理を行う手段と、サービスセンタ１のサーバ１０とのオフライン接続からオンライン接続への切り替え時に、記憶手段を停止させる手段と、シンクライアントの動作処理を行う手段と、サービスセンタ１のサーバ１０とのオンライン接続からオフライン接続への切り替え時に、記憶手段を起動させる手段とを備えている。
【００２６】
本発明の作業環境切り替えシステムＳは、サービスセンタ１のサーバ１０が、ノート型パソコン３へ転送する通信データとしてネットワーク環境，使用ツール，使用データを含む作業項目毎の作業ルールを設定する手段と、設定した作業ルール，作業ルールの作業項目に対応した使用データ及び作業ルールに従って行われる作業の進捗状況を管理データベース１１に保存する手段と、ノート型パソコン３のオンライン作業時に、管理データベース１１に保存した作業の進捗状況を更新する手段とを備えている。
【００２７】
本発明の作業環境切り替えシステムＳは、ノート型パソコン３が、ネットワーク４を介してサービスセンタ１のサーバ１０にアクセスし、作業ルールを選択し、選択した作業ルールをサービスセンタ１のサーバ１０からダウンロードし、ダウンロードした作業ルールを作業データベース３０に格納するようになっている。
【００２８】
本発明の作業環境切り替えシステムＳは、ノート型パソコン３が、ダウンロードした作業ルールを参照してサービスセンタ１のサーバ１０とのオンライン／オフラインの切り替えを行い、サービスセンタ１のサーバ１０とのオンライン／オフラインの切り替え時に、使用データと作業の進捗状況の同期を行うようになっている。
【００２９】
本発明の作業環境切り替えシステムＳは、ノート型パソコン３が、サービスセンタ１のサーバ１０へのオフライン接続時に、使用データと作業の進捗状況をサービスセンタ１のサーバ１０からダウンロードし、ダウンロードした使用データと作業の進捗状況を作業データベース３０に格納するようになっている。
【００３０】
本発明の作業環境切り替えシステムＳは、ノート型パソコン３が、サービスセンタ１のサーバ１０へのオンライン接続時、作業データベース３０に格納した使用データと作業の進捗状況をサービスセンタ１のサーバ１０にアップロードし、作業データベース３０に格納した作業ルール，使用データ及び作業の進捗状況を消去し、オフライン作業時に、作業データベース３０に格納した作業の進捗状況を更新するようになっている。
【００３１】
本発明の作業環境切り替えシステムＳは、ノート型パソコン３が、オンライン作業時に、シンクライアントで動作し、オフライン作業時に、スタンドアロンで動作するようになっている。
【００３２】
本発明の作業環境切り替えシステムＳは、サービスセンタ１のサーバ１０が、管理データベース１１に保存された作業の進捗状況を表示画面に表示させる手段を備えている。
【００３３】
本発明の作業環境切り替えシステムＳは、ノート型パソコン３が、サービスセンタ１のサーバ１０とのオンライン接続からオフライン接続への切り替えを行う前に、オフライン作業に使用する関連データをサービスセンタ１のサーバ１０からダウンロードし、ダウンロードした関連データを作業データベース３０に格納するようになっている。
【００３４】
本発明の作業環境切り替えシステムＳは、ノート型パソコン３が、作業ルールの使用ツールの監視を行う手段を備えている。
【００３５】
本発明の作業環境切り替えシステムＳは、ノート型パソコン３が、作業ルールで許可されていない不許可のツールが使用されている場合、自動的に不許可のツールの起動を防ぐ手段を備えている。
【００３６】
本発明のサービスセンタサーバは、ノート型パソコン３へ転送する通信データとしてネットワーク環境，使用ツール，使用データを含む作業項目毎の作業ルールを設定する手段と、設定した作業ルール，作業ルールの作業項目に対応した使用データ及び作業ルールに従って行われる作業の進捗状況を管理データベース１１に保存する手段と、ノート型パソコン３のオンライン作業時に、管理データベース１１に保存した作業の進捗状況を更新する手段とを備えている。
【００３７】
本発明のサービスセンタサーバは、ノート型パソコン３とのオンライン接続時に、ノート型パソコン３がシンクライアントで動作していることを監視し、シンクライアント使用以外のツールが動作していないことを監視する手段とを備えている。
【００３８】
本発明のサービスセンタサーバは、ノート型パソコン３とのオンライン接続時に、シンクライアント使用以外の不要なツールの起動を防ぐ手段を備えている。
【００３９】
本発明の情報処理装置は、ハードディスクなどの記憶手段を有すると共に、ネットワーク４に接続されたサービスセンタ１のサーバ１０にアクセスする手段と、管理データベース１１に保存された通信データをサービスセンタ１のサーバ１０からダウンロードする手段と、ダウンロードした通信データを記憶手段に格納する手段とを備えている。
【００４０】
本発明の情報処理装置は、サービスセンタ１のサーバ１０とのオンライン接続からオフライン接続への切り替えを行う手段と、スタンドアロンの動作処理を行う手段と、サービスセンタ１のサーバ１０とのオフライン接続からオンライン接続への切り替えを行う手段と、記憶手段に格納した通信データをサービスセンタ１のサーバ１０にアップロードする手段とを備えている。
【００４１】
本発明の情報処理装置は、サービスセンタ１のサーバ１０とのオフライン接続からオンライン接続への切り替え時に、記憶手段に格納した通信データを消去する手段と、サービスセンタ１のサーバ１０との同期処理を行う手段と、サービスセンタ１のサーバ１０とのオフライン接続からオンライン接続への切り替え時に、記憶手段を停止させる手段と、シンクライアントの動作処理を行う手段と、サービスセンタ１のサーバ１０とのオンライン接続からオフライン接続への切り替え時に、記憶手段を起動させる手段とを備えている。
【００４２】
本発明の情報処理装置は、サービスセンタ１のサーバ１０とのオンライン接続時に、自装置がシンクライアントで動作していることを監視し、シンクライアント使用以外のツールが動作していないことを監視する手段を備えている。
【００４３】
本発明の情報処理装置は、サービスセンタ１のサーバ１０とのオンライン接続時に、シンクライアント使用以外の不要なツールの起動を防ぐ手段を備えている。
【００４４】
図１は、本発明の実施例に係る作業環境切り替えシステムを示すシステム構成図である。
作業環境切り替えシステムＳは、図１に示すように、ネットワーク４に接続されたサービスセンタ１のサーバ１０と作業場所２に設置された顧客システム２０に接続可能なノート型パソコン３とから構成されている。
【００４５】
サービスセンタ１内には、図１に示すように、サーバ１０が設置されている。
【００４６】
サービスセンタ１のサーバ１０は、管理データベース１１を有している。
【００４７】
サービスセンタ１のサーバ１０は、ネットワーク４に接続されている。
【００４８】
屋内外や顧客先などの作業場所２には、図１に示すように、顧客システム２０が設置され、顧客システム２０には、利用者５が操作するノート型パソコン３が接続されている。
【００４９】
ノート型パソコン３は、作業データベース３０を有している。
【００５０】
ノート型パソコン３は、無線ＬＡＮ（Ｌｏｃａｌ  Ａｒｅａ  Ｎｅｔｗｏｒｋ）６を介してネットワーク４上のサービスセンタ１のサーバ１０に接続可能となっている。
【００５１】
本発明の作業環境切り替えシステムＳは、作業内容に応じたノート型パソコン３の作業環境をサービスセンタ１側で一元管理する。
【００５２】
本発明の作業環境切り替えシステムＳは、ノート型パソコン３の作業環境を作業内容に応じてサービスセンタ側（シンクライアント）、若しくは顧客先であるクライアント側（スタンドアロン）に自動的に切り替える。
【００５３】
サービスセンタ１の管理者７が、作業項目毎の作業ルールを事前にサーバ１０に設定する。
【００５４】
作業ルールは、作業項目に対応したネットワーク環境，使用ツール，使用データからなる。
【００５５】
サービスセンタ１のサーバ１０の管理データベース１１には、管理者７が設定した作業ルールが保存される。
【００５６】
図２は、作業ルールの一例を示す図である。
本発明の作業環境切り替えシステムにおける管理者が事前にサービスセンタのサーバに設定する作業ルールの具体例を図２に示す。
（設定例）××お客様、パッチ適用作業
［作業項目１：作業指示書確認］［作業環境：オンライン、ブラウザ、なし］［使用データタイプ：−］
［作業項目２：パッチファイルダウンロード］［作業環境：オンライン、ＦＴＰ（Ｆｉｌｅ  Ｔｒａｎｓｆｅｒ  Ｐｒｏｔｏｃｏｌ）、パッチファイル］［使用データタイプ：ダウンロード］
［作業項目３：パッチ適用作業］［作業環境：オフライン、ターミナル、パッチファイル］［使用データタイプ：ダウンロード］
［作業項目４：ログ収集作業］［作業環境：オフライン、ターミナル、結果ログファイル］［使用データタイプ：アップロード］
［作業項目５：作業完了報告］［作業環境：オンライン、ブラウザ、なし］［使用データタイプ：−］
【００５７】
図２では、管理者７が、サービスセンタ１のサーバ１０に作業項目１〜５毎に上記のような作業ルールを設定したことを意味する。
【００５８】
サービスセンタ１のサーバ１０の管理データベース１１には、図２に示すような作業ルールが保存されている。
【００５９】
使用データは、サービスセンタ１のサーバ１０の管理データベース１１に保存する。
【００６０】
図３は、作業の進捗状況の一例を示す図である。
本発明の作業環境切り替えシステムにおける作業ルールに従って行われる作業の進捗状況の具体例を図３に示す。
図３では、作業項目１〜３の作業状況の欄に“済み”と記入されているが、これは、作業項目１：作業指示書確認，作業項目２：パッチファイルダウンロード，作業項目３：パッチ適用作業が終了していることを意味する。
【００６１】
また、作業項目４の作業状況の欄に“作業中”と記入されているが、これは、作業項目４：ログ収集作業が開始されていることを意味する。
【００６２】
さらに、作業項目５の作業状況の欄に“未”と記入されているが、これは、作業項目５：作業完了報告が終了していないことを意味する。
【００６３】
作業の進捗状況は、サービスセンタ１のサーバ１０の管理データベース１１に保存する。
【００６４】
ノート型パソコン３の利用者５は、管理者７がサービスセンタ１のサーバ１０に設定した作業ルールに従って作業を行う。
【００６５】
ノート型パソコン３は、オンライン作業時に、シンクライアント（サービスセンタ側）で動作し、オフライン作業時に、スタンドアロン（クライアント側）で動作する。
サービスセンタ１のサーバ１０とのオンライン／オフラインの切り替えは、作業ルールを参照し、クライアント側で自動的に行う。
【００６６】
サービスセンタ１のサーバ１０とのオンライン／オフラインの切り替え時に、使用データと作業の進捗状況の同期を行う。
【００６７】
ノート型パソコン３は、サービスセンタ１のサーバ１０へのオフライン接続時に、使用データをサービスセンタ１のサーバ１０からダウンロードする。
【００６８】
また、ノート型パソコン３は、サービスセンタ１のサーバ１０のオンライン接続時に、作業データベース３０に格納した使用データをサービスセンタ１のサーバ１０へアップロードし、作業データベース３０に格納した作業ルール，使用データ，作業の進捗状況を消去する。
【００６９】
管理者７は、作業の進捗状況をサービスセンタ１側で監視することが可能である。
作業ルールが実施されると、フラグが立つようにし、フラグ状況を監視することで、作業ルールの実施を判断できるようにする。
【００７０】
ノート型パソコン３のスタンドアロン（オフライン）作業時、ノート型パソコン３が自動的に当該作業の操作の監視（使用ツールの監視）を行い、当該作業以外の不必要または不正な操作を防ぐことが可能である。
【００７１】
ノート型パソコン３が自動的にノート型パソコン３内のプロセスを監視し、作業ルールで指定された使用ツール以外の使用ツールの起動を防御する。
また、作業ルールで指定された使用ツール以外の使用ツールが起動された場合、使用ツールの強制終了を行う。
【００７２】
図４は、本発明の実施例に係る作業環境切り替えシステムにおける作業の処理の流れを説明するフローチャート図である。
ステップＳ１００でスタートした処理は、まず、作業の選択処理を行う（ステップＳ１０１）。
【００７３】
ステップＳ１０１における作業の選択処理は、まず、利用者５がノート型パソコン３を操作して作業ルールを選択し（ステップＳ１０２）、次いで、選択した作業ルールをサービスセンタ１のサーバ１０からノート型パソコン３にダウンロードし、ノート型パソコン３がダウンロードした作業ルールを読み込み（ステップＳ１０３）、次いで、読み込んだ作業ルールを参照し、使用データタイプがダウンロードである使用データをサービスセンタ１のサーバ１０からノート型パソコン３にダウンロードし（ステップＳ１０４）、その後、作業の開始処理を行う（ステップＳ１０５）。
【００７４】
ステップＳ１０５における作業の開始処理は、まず、ノート型パソコン３が作業ルールの作業項目を順次読込み（ステップＳ１０６）、次いで、作業ルールに従って行われる作業が終了したかを判断する（ステップＳ１０７）。
【００７５】
ここで、作業ルールに従って行われる作業が終了していない場合（ステップＳ１０７“Ｎ”）、作業ルールの作業環境のネットワーク環境がオフラインであるか否かを判断する（ステップＳ１０８）。
【００７６】
また、作業ルールに従って行われる作業が終了している場合（ステップＳ１０７“Ｙ”）、作業環境切り替えシステムＳにおける作業の処理は終了となる（ステップＳ１０９）。
【００７７】
ここで、作業ルールの作業環境のネットワーク環境がオフラインである場合（ステップＳ１０８“Ｙ”）、使用データと作業の進捗状況の同期を行い、管理データベース１１に保存した使用データをサービスセンタ１のサーバ１０からノート型パソコン３にダウンロードし（ステップＳ１１０）、次いで、ノート型パソコン３をサービスセンタ１のサーバ１０に対してシンクライアント切断（但し、シンクライアント接続時）し（ステップＳ１１１）、次いで、ノート型パソコン３のサービスセンタ１のサーバ１０に対する無線ＬＡＮ６を切断（但し、無線ＬＡＮ接続時）する（ステップＳ１１２）。
【００７８】
次いで、作業ルールの作業項目の開始処理を行い、利用者５が作業の進捗状況を更新し（ステップＳ１１３）、次いで、ノート型パソコン３が自動的に作業ルールの作業環境の使用ツールの監視を行い（ステップＳ１１４）、次いで、作業ルールの作業項目の終了処理を行い、利用者５が作業の進捗状況を更新し（ステップＳ１１５）、その後、ステップＳ１０６に戻る。
【００７９】
ステップＳ１１４において、ノート型パソコン３が自動的に作業ルールの作業環境の使用ツール以外のプロセスが動作していないかチェックし、強制終了する。
但し、基本的なプロセス（エクスプローラ等）は除外する。
【００８０】
また、作業ルールの作業環境のネットワーク環境がオフラインでない場合（ステップＳ１０８“Ｎ”）、ノート型パソコン３のサービスセンタ１のサーバ１０に対する無線ＬＡＮ６を接続（但し、無線ＬＡＮ切断時）し（ステップＳ１１６）、次いで、使用データと作業の進捗状況の同期を行い、作業データベース３０に格納した使用データをノート型パソコン３からサービスセンタ１のサーバ１０にアップロードし、ノート型パソコン３が作業データベース３０に格納した作業ルール，使用データ，作業の進捗状況を消去し（ステップＳ１１７）、次いで、ノート型パソコン３をサービスセンタ１のサーバ１０に対してシンクライアント接続（但し、シンクライアント切断時）する（ステップＳ１１８）。
【００８１】
ステップＳ１１７において、作業の進捗状況の同期は、作業状況が“済み”の作業項目で、使用データタイプがアップロードである使用データが対象となる。
【００８２】
次いで、作業ルールの作業項目の開始処理を行い、利用者５が作業の進捗状況を更新し（ステップＳ１１９）、次いで、サービスセンタ１のサーバ１０が自動的に作業ルールの作業環境の使用ツールの監視を行い（ステップＳ１２０）、次いで、作業ルールの作業項目の終了処理を行い、利用者５が作業の進捗状況を更新し（ステップＳ１２１）、その後、ステップＳ１０６に戻る。
【００８３】
以上実施例で説明したが、本発明の特徴は、以下の通りである。
（１）利用者が意識することなく、適切なネットワーク環境で作業を行うことができる。
（２）作業の進捗状況をサービスセンタ側で監視することができる。
（３）情報処理装置のオフライン作業時、関連するデータのみ情報処理装置に持つ。（不要なデータは保持しない）
（４）当該作業以外の不必要または不正な操作を防ぐことができる。
【図面の簡単な説明】
【００８４】
【図１】本発明の実施例に係る作業環境切り替えシステムを示すシステム構成図。
【図２】作業ルールの一例を示す図。
【図３】作業の進捗状況の一例を示す図。
【図４】本発明の実施例に係る作業環境切り替えシステムにおける作業の処理の流れを説明するフローチャート図。
【符号の説明】
【００８５】
１  サービスセンタ
２  作業場所
３  ノート型パソコン（情報処理装置）
４  ネットワーク
５  利用者
６  無線ＬＡＮ
７  管理者
１０  サーバ
１１  管理データベース
２０  顧客システム
３０  作業データベース
Ｓ  作業環境切り替えシステム
【図１】
2007133713.tif 000003
【図２】
2007133713.tif 000004
【図３】
2007133713.tif 000005
【図４】
2007133713.tif 000006